(57)【要約】【課題】ちぎり絵の手法を応用したデザインを購入者自身が施すことで、装飾性を高めるとともに娯楽性を高めたウォールステッカーを提供する。【解決手段】本考案が提供するウォールステッカー３０は、対象物を模した輪郭を有する基材層１２と、基材層１２の一方の面に配された接着層１４と、接着層１４を被覆する離型紙と、基材層１２の他方の面に配されたミクロ吸盤層１８と、ミクロ吸盤層１８を被覆する離型紙２０と、離型紙を除去した後に接着層１４に接着させる複数の装飾片３２、３４、３８で構成されている。【選択図】図４
0003167864.tif 000002
【実用新案登録請求の範囲】
【請求項１】
対象物を模した輪郭を有する基材層と、前記基材層の一方の面に配された第１の接着層と、前記第１の接着層を被覆する第１の離型紙と、前記基材層の他方の面に配された第２の接着層と、前記第２の接着層を被覆する第２の離型紙と、前記第１の離型紙を除去した後に前記第１の接着層に接着させる装飾層を備え、
前記装飾層が、前記第１の接着層にそれぞれ接着させる複数の装飾片で構成されていることを特徴とするウォールステッカー。
【請求項２】
前記装飾片が、はぎれ、毛糸、フェルト、紙、ドライモスおよび粉砕された天然素材のうち少なくとも何れか１つを含むことを特徴とする請求項１に記載のウォールステッカー。
【考案の詳細な説明】
【技術分野】
【０００１】
本考案はウォールステッカーに関し、特に装飾性と娯楽性を高めたウォールステッカーに関する。
【背景技術】
【０００２】
ウォールステッカーは、居住空間や集客空間などの生活空間の内壁面を気軽に装飾することができるアイテムとして、現在、非常に人気があるインテリア商品である。植物や動物、建築物などの特徴的な形態を模した形状にカッティングされている点に特徴があり、多くの場合、表面は単一色であり、立体感に乏しいシルエット状のステッカーである。
【０００３】
一方、ちぎり絵は、特に和紙を用いた場合に顕著な立体感と質感に独特の風情があり、非常に多くの愛好家が存在する。ちぎり絵に関しては、容易に制作することができるように工夫された台紙があり、この台紙を用いることで、絵心の乏しい者であっても雅趣のある絵を容易に制作することができるようになるとされている（特許文献１参照）。
【先行技術文献】
【特許文献】
【０００４】
【特許文献１】特開２００４−６６６４６号公報
【考案の概要】
【考案が解決しようとする課題】
【０００５】
ウォールステッカーは、前述したようにシルエット（輪郭の形状）の独創性に重きがおかれ、ステッカー表面の立体感や質感はさほど追求されていないのが現状である。またウォールステッカーの需要者の多くはインテリアを個性的に演出したいという願望を持っているが、現状では購入したウォールステッカーを壁面にどのように配置して貼り付けるかという点でのみ独自性を発揮できるに過ぎず、現在流通しているウォールステッカーの多くは需要者の願望を十分に満足させるまでには至っていない。
【０００６】
そこで、本考案が解決しようとする課題は、ちぎり絵の手法を応用したデザインを購入者自身が施すことができるようにすることで、装飾性を高め、さらには娯楽性を高めたウォールステッカーを提供することにある。
【課題を解決するための手段】
【０００７】
本考案が提供するウォールステッカーは、対象物を模した輪郭を有する基材層と、前記基材層の一方の面に配された第１の接着層と、前記第１の接着層を被覆する第１の離型紙と、前記基材層の他方の面に配された第２の接着層と、前記第２の接着層を被覆する第２の離型紙と、前記第１の離型紙を除去した後に前記第１の接着層に接着させる装飾層を備え、前記装飾層が、前記第１の接着層にそれぞれ接着させる複数の装飾片で構成されていることを特徴とするたことを特徴とする。
【０００８】
従来のウォールステッカーは、第１の接着層および第１の離型紙を備えておらず、基材層の一方の面には最初から装飾層が備えられており、完成された状態で販売されていた。これに対し、本考案が提供するウォールステッカーは、当初は基材層と装飾層は接着されておらず、いわば未完成の状態で販売されるものであり、購入後に第１の離型紙を除去し、露出した第１の接着層に装飾層を接着させることで完成する。
【０００９】
装飾層は複数の装飾片で構成する。装飾片をちぎり絵の手法で第１の接着層に隙間なく貼り付けていくだけでウォールステッカーを完成させることができる。完成されたウォールステッカーは、ちぎり絵独特の立体感や質感を有し、従来にない高い装飾性を備えたものになる。また装飾片を自由に貼り付けていく過程を楽しむことができ、最初から完成されたウォールステッカーにはない娯楽性も備えている。
【００１０】
装飾片には、はぎれ、毛糸、フェルト、紙、ドライモスおよび粉砕された天然素材などを使用することができる。でき、これらを単一もしくは２以上の組合せで用いることで、多種多様な立体感と質感を備えた装飾層を製作することができる。はぎれや布などを繋ぎ合わせて模様を作る手法にパッチワークがあるが、パッチワークには刺繍の技術が必要であり、誰でも簡単に楽しめるものではない。本考案が提供するウォールステッカーは製作に特別な技術を要しないため、子供から大人まで誰でも気軽に楽しむことができる。またパッチワークに比べて製作に要する時間が短くて済むという利点もある。
【００１１】
天然素材には、アズキ、茶葉、ワラ、コルク、ホタテなどを素材の持つ質感を損なわない程度に粉砕したものを用いることができる。このような天然素材は化学的に調合された色素にはない自然な風合いを醸し出すため、ウォールステッカーが貼られたインテリア空間を柔和で穏やかな空間に演出し、そこで生活する人間に安らぎと心地よさを与える癒しの効果がある。
【００１２】
装飾片には、製品としては販売することができない半端品や傷物等の本来であれば処分されるものを用いることができるので、本考案が提供するウォールステッカーが広く用いられることで廃棄物の量を削減することに繋がり、エコ活動に資することができる。
【考案の効果】
【００１３】
本考案によれば、ちぎり絵やパッチワークと同等の装飾性の高いウォールステッカーを手軽に楽しみながら創作することができる。
【図面の簡単な説明】
【００１４】
【図１】完成前のウォールステッカーを示す平面図
【図２】図１の２−２線断面図
【図３】完成後のウォールステッカーを示す平面図
【図４】図３の４−４線断面図
【考案を実施するための形態】
【００１５】
本考案の実施の形態について添付した図面を参照して説明する。図１および図２は完成前のウォールステッカー１０を示している。ウォールステッカー１０は、主体となる基材層１２を中心に、その上層として接着層１４と離型紙１６を備え、下層としてミクロ吸盤層１８と離型紙２０を備えている。
【００１６】
基材層１２は、ウォールステッカー１０の強度を確保し、形状を維持するための基礎となる層であり、塩化ビニル等の軟質樹脂や紙で構成されている。基材層１２の表面には接着剤を前面に塗布し、接着層１４を形成する。接着層１４は塵埃等の付着によって接着力が低下しないように離型紙１６で被覆されている。離型紙１６はクラフト紙やグラシン紙などの紙基材をシリコーン等でラミネート加工した易剥離性の保護シートである。
【００１７】
ミクロ吸盤層１８は表面に設けられた微小な孔が吸盤の役割を果たし、手で軽く押さえるだけで被着体に吸着する。接着剤などは一切用いていないため、簡単に剥離することができ、長期間貼った後で剥がした場合であっても貼り跡が残らない。また吸着力もほとんど低下しないため、何度でも貼り直すことが可能であり、気軽にウォールステッカー１０の貼り位置を変えてインテリア空間に変化をもたらすことができる。ミクロ吸盤層１８も接着層１４と同様に離型紙２０で被覆され、塵埃等から保護されている。
【００１８】
基材層１２、接着層１４、離型紙１６およびミクロ吸盤層１８は、うさぎの形態を模した輪郭を有する形状にカッティングされている。形態を模す対象物は、うさぎを始めとする動物のほかにも花や樹木などの植物や人間などの自然物、また建築物や構造物、工業製品などの人工物、さらには幾何学的模様などの抽象的なものであってもよい。離型紙２０については、ウォールステッカー１０を包装するＯＰＰ袋の形状に合わせた矩形としているが、ミクロ吸盤層１８を保護するという機能を果たす限りにおいて特に形状は問われない。
【００１９】
図３および図４は完成後のウォールステッカー３０を示している。ウォールステッカー３０は、ウォールステッカー１０の最上層の離型紙１６を剥離し、露出した接着層１４の全面に模様の異なる３種類のはぎれ３２、３４、３６を接着し、装飾層３８を形成している。
【００２０】
はぎれ３２、３４、３６はウォールステッカー１０とセットで販売され、購入者がはぎれ３２、３４、３６をウォールステッカー１０に接着させることでウォールステッカー３０が完成する。はぎれ３２、３４、３６を接着層１４のどの位置にどのような向きで接着させるかについて特に制限はなく購入者の自由に任されており、購入者はちぎり絵やパッチワークと同等の意匠創作活動を手軽に実施することができる。
【００２１】
このように本考案のウォールステッカーは、装飾層３８のない未完成の状態のウォールステッカー１０としてはぎれ３２、３４、３６等の複数の装飾片とともにセットで販売され、購入者自身が装飾片を接着させることで、最上層に装飾層３８を備えたウォールステッカー３０として完成される。このようにして完成されたウォールステッカー３０は、購入者の個性が発揮された独創性の高いものであり、またちぎり絵やパッチワークの手法を応用した立体感と質感のある装飾性の高いものになっている。
【符号の説明】
【００２２】
１０、３０      ウォールステッカー
１２            基材層
１４            接着層
１６、２０      離型紙
１８            ミクロ吸盤層
３８            装飾層
【図１】
0003167864.tif 000003
【図２】
0003167864.tif 000004
【図３】
0003167864.tif 000005
【図４】
0003167864.tif 000006